(57)【要約】      （修正有）【課題】エレベータシステムにおける昇降路内のかごの高速安定運転を図る。【解決手段】昇降路２内をガイドレールに沿って移動するかご５と、かごに対して非接触で電力を供給する電力供給手段２２〜２５と、各階の乗場呼びかご内のかご呼びが指定する階へかごを移動させるエレベータ制御部８と、エレベータ制御部とかごのとの間で無線で各種の情報交換を実施するための無線データ伝送手段１３，１５，１６，２０とを備えたエレベータシステムにおいて、非接触でかごに電力を供給するための給電線２２ａ、２２ｂ及び無線でかごと情報交換するための漏洩同期ケーブル１６を、かごに対するガイドレールに係止せる。【選択図】図１
2009040589.tif 000002
【特許請求の範囲】
【請求項１】
昇降路内に上下方向に敷設されたガイドレールに沿って移動し、内部にかご呼び登録装置を含む電気部材が搭載されたかごと、このかごに対して非接触で電力を供給する電力供給手段と、各階の乗場呼び登録装置及び前記かご内のかご呼び登録装置からの各呼びが指定する階へ前記かごを移動させるエレベータ制御部と、このエレベータ制御部と前記かごのとの間で無線で各種の情報交換を実施するための無線データ伝送手段とを備えたエレベータシステムであって、
前記電力供給手段は、
前記昇降路内の前記ガイドレールを昇降路に固定するためのブラケットに係止されたケーブル固定ブラケットに固定され、前記ガイドレールに平行に配設された高周波電流が通流する給電線と、
前記かご側に設けられ、前記給電線に対して非接触で磁気的に結合する磁気コアと、この磁気コアに巻回され、前記給電線に流れる高周波電流が誘起される二次巻線と、この二次巻線に誘起された交流電圧を電力変換して前記電気部材に供給する受電部とを有する
ことを特徴とするエレベータシステム。
【請求項２】
昇降路内に上下方向に敷設されたガイドレールに沿って移動し、内部にかご呼び登録装置を含む電気部材が搭載されたかごと、このかごに対して非接触で電力を供給する電力供給手段と、各階の乗場呼び登録装置及び前記かご内のかご呼び登録装置からの各呼びが指定する階へ前記かごを移動させるエレベータ制御部と、このエレベータ制御部と前記かごのとの間で無線で各種の情報交換を実施するための無線データ伝送手段とを備えたエレベータシステムであって、
前記無線データ伝送手段は、
かご側に設けられた通信インターフェース及びアンテナと、
エレベータ制御部側に設けられた通信インターフェース及び前記昇降路内の前記ガイドレールを昇降路に固定するためのブラケットに係止されたケーブル固定具に固定され、前記ガイドレールに平行に配設された漏洩同軸ケーブルとを有する
ことを特徴とするエレベータシステム。
【請求項３】
前記無線データ伝送手段は、
かご側に設けられた通信インターフェース及びアンテナと、
エレベータ制御部側に設けられた通信インターフェース及び前記昇降路内の前記ガイドレールを昇降路に固定するためのブラケットに係止されたケーブル固定具に固定され、前記ガイドレールに平行に配設された漏洩同軸ケーブルとを有する
ことを特徴とする請求項１記載のエレベータシステム。
【請求項４】
前記無線データ伝送手段は、
かご側に設けられた通信インターフェース及びアンテナと、
エレベータ制御部側に設けられた複数の通信インターフェースと、
このエレベータ制御部側の各通信インターフェースに接続され、かつ前記昇降路内の前記ガイドレールを昇降路に固定するためのブラケットに係止されたケーブル固定具に固定され、前記ガイドレールに平行でかつ前記かごの移動方向に配列された複数の漏洩同軸ケーブルとを有する
ことを特徴とする請求項１記載のエレベータシステム。
【請求項５】
前記エレベータ制御部側に設けられた各通信インターフェースは対応する各漏洩同軸ケーブルに近接配置され、
前記各通信インターフェースと前記エレベータ制御部とを接続する通信ケーブル、前記各階の乗場呼び登録装置と前記エレベータ制御部とを接続する通信ケーブル、前記各通信インターフェースへ電源を供給する電源給電線、及び前記各階の乗場呼び登録装置へ電源を供給する電源給電線を、前記昇降路の内面に配設された共通ケーブルダクトに収納した
ことを特徴とする請求項４記載のエレベータシステム。
【請求項６】
前記漏洩同軸ケーブル、前記給電線及び前記ガイドレールは、前記かごの１つの側面とこの側面に対向する昇降路の１つの内面との隙間に、前記ガイドレールの両側に前記漏洩同軸ケーブルと前記給電線とが位置するように一つの平面内に配設されていることを特徴とする請求項２から５のいずれか１項記載のエレベータシステム。
【請求項７】
前記給電線を固定するケーブル固定ブラケットの少なくとも前記給電線を支持する部分は非磁性材料で形成されていることを特徴とする請求項１から６のいずれか１項記載のエレベータシステム。
【請求項８】
複数の隣接する昇降路に、前記漏洩同軸ケーブルと給電線との少なくとも一つを一対のガイドレールの一方に沿って昇降路に敷設する際、隣接する昇降路の一対のガイドレールで、遠方に位置するガイドレールに沿って敷設することを特徴とする請求項２から７のいずれか１項記載のエレベータシステム。
【発明の詳細な説明】
【技術分野】
【０００１】
本発明は、建屋に組込まれたエレベータシステムに係わり、特に、エレベータの利用者が乗込むかごが上下移動する昇降路内のレイアウトを改良したエレベータシステムに関する。
【背景技術】
【０００２】
ビル等の建屋に組込まれているエレベータシステムにおいては、建屋の各階を貫通する昇降路内にエレベータの利用者が乗込むかごが配設されており、このかごを昇降路の上側の機械室に設置された巻上機で上下移動させている。より具体的には、巻上機に一端にかごが取付けられ他端に釣合錘が取付けられた主ロープが掛けられている。
【０００３】
そして、エレベータ制御部が、各階のエレベータホールに設けられた乗場呼び登録装置にて乗場呼びが登録されたり、かご内に設置されたかご呼び登録装置にてかご呼びが登録されると、巻上機を駆動して、かごを乗場呼び又はかご呼びの指定する階へ移動させる。
【０００４】
このような基本動作を行うエレベータシステムにおいては、昇降路内を上下移動するかごには、このかごに乗り込んだ利用者が自己の行先階を指定するかご呼び登録装置、非常電話装置、かごの現在位置（階）等の各種情報を表示する表示器、照明器、ドア開閉モータ等の電気部材が搭載されている。
【０００５】
したがって、このかごに搭載された各電気部材に対して、外部から駆動電源を供給する必要がある。さらに、エレベータ制御部は、かごに搭載された、かご呼び登録装置や表示器との間で、各種の情報交換を実施する必要がある。従来、かごに対する電源供給及び情報交換は、かごの下面と機械室との間に取付けられたテールコードを介して実施していた。
【０００６】
しかしながら、近年、エレベータシステムが組込まれたビル等の建築物の高層化やかごに搭載された電気部材に対する情報伝送量の増加に伴い、テールコードの重量が増加し、また、エレベータの高速化に伴うテールコードの揺れ等の挙動によって、エレベータのかごの乗り心地に悪影響を及ぼすようになってきた。そのため、テールコード内の省配線化や、テールコード自体を無くする目的で、無線による信号伝送装置や非接触給電装置の開発が進められている。
【０００７】
無線による信号伝送装置としては、エレベータホールの乗場呼び登録装置、かご内のかご呼び登録装置、釣合錘に設けられたかご移動モータのモータ制御部、及び主端末とを無線で接続する技術が特許文献１、特許文献２に開示されている。また、エレベータ制御装置とかごに搭載された電子機器との間の制御信号の送受信を、漏洩同軸ケーブルを用いた無線ＬＡＮで実行する手法が特許文献３に開示されている。
【０００８】
さらに、かごに搭載された電気部材に対して非接触で電力供給する非接触給電装置が特許文献４に提唱されている。すなわち、機械室に設けられた高周波電源から、昇降路に沿って敷設した給電線(一次コイル)に高周波電流を供給する。そして、かご側にＥ字断面形状の磁気コアと、この磁気コアに巻回された二次巻線からなるプローブを設けて、磁気コアのＥ字断面形状の各溝に給電線を通過させる。二次巻線には給電線に流れる高周波電流にて高周波交流電圧が誘起されるので、この高周波交流電圧を電力変換して、電気部材に供給する。
【特許文献１】特許第３８６４６４７号公報
【特許文献２】特開２００２―３４８０６１号公報
【特許文献３】特開平２―６６０８６号公報
【特許文献４】特開２０００―３５５４７４号公報
【発明の開示】
【発明が解決しようとする課題】
【０００９】
しかしながら、上述した、無線による信号伝送装置や非接触給電装置をエレベータシステムへ適用するに際して、まだ解消すべき次のような課題があった。
【００１０】
上述した特許文献１、２に記載された無線端末を採用した無線伝送手法や、特許文献４に記載された漏洩同軸ケーブルを使用した無線伝送手法においては、無線送信出力電力が電波法で規定されており、無線伝送可能な距離が制約されるため、建屋の高層化に伴って、かごの上下方向の移動距離が大きくなると、昇降路の中途位置に無線伝送の中継器を設けて、かごの上下方向の全移動距離範囲に亘って無線伝送を安定させる必要がある。さらに、この無線伝送の中継器に対して、電力供給する必要がある。
【００１１】
また、効率よく電磁誘導や電磁結合するために、漏洩同軸ケーブルとアンテナ間の距離をほぼ一定に保たなければならず、限られた昇降路内の空間で、ドアの開閉検出スイッチなどの着床に係わる各種センサや主ロープに対する過巻検出センサ等の安全機器を含めて、昇降路内機器の設置レイアウト設計、及び施工が困難になるという課題があった。
【００１２】
さらに、上述した、非接触給電装置においても、かごに対する給電効率を向上させるためには、給電線と磁気コアとを接触しないで、かつ可能な限り接近させる必要がある。
【００１３】
本発明は、このような従来技術の課題を解決するためになされたものであり、かごに搭載された電気部材に対して非接触で効率的に電力を供給できると共に、かごとの間で漏洩同軸ケーブルを用いて高い信頼性を維持した状態で無線による情報通信を継続でき、必要に応じてテールコードを除去でき、かつ、昇降路内の各機器の設置レイアウトを容易に行えるエレベータシステムを提供することを目的とする。
【課題を解決するための手段】
【００１４】
上記課題を解消するために本発明は、昇降路内に上下方向に敷設されたガイドレールに沿って移動し、内部にかご呼び登録装置を含む電気部材が搭載されたかごと、このかごに対して非接触で電力を供給する電力供給手段と、各階の乗場呼び登録装置及びかご内のかご呼び登録装置からの各呼びが指定する階へかごを移動させるエレベータ制御部と、このエレベータ制御部とかごのとの間で無線で各種の情報交換を実施するための無線データ伝送手段とを備えたエレベータシステムである。
【００１５】
そして、電力供給手段は、昇降路内のガイドレールを昇降路に固定するためのブラケットに係止されたケーブル固定ブラケットに固定され、ガイドレールに平行に配設された高周波電流が通流する給電線と、かご側に設けられ、給電線に対して非接触で磁気的に結合する磁気コアと、この磁気コアに巻回され、給電線に流れる高周波電流が誘起される二次巻線と、この二次巻線に誘起された交流電圧を電力変換して電気部材に供給する受電部とを備えている。
【００１６】
このように構成されたエレベータシステムにおいては、エレベータ制御部とかごとの間の情報交換は無線で実行され、かごに対する給電は非接触で実施されるので、テールコードを除去することができ、かごの高速安定運転が可能となる。
【００１７】
さらに、非接触で電力を供給する電力供給手段の一部に高周波電流が通流する給電線を採用し、この給電線に磁気的に結合する磁気コアを設け、この磁気コアに巻回した二次巻線に誘起される交流電圧をかご側で使用する。この場合、給電線がかご側に取付けられた磁気コアの溝内を正確に通過する必要がある。かごは昇降路内に設けられたガイドレールに沿って上下移動するので、かごとガイドレールとの間の距離は常に一定である。給電線を固定するケーブル固定ブラケットはガイドレールを昇降路に固定するブラケットに係止されているので、結果的に、給電線とかごに取付けられた磁気コアとの位置関係を一定に維持できる。したがって、磁気コアの溝の大きさを給電線の断面の大きさに近づけることにより、電力を効率的にかごに供給できる。
【００１８】
また別の発明は、上述したエレベータシステムにおいて、エレベータ制御部とかごのとの間で無線で各種の情報交換を実施するための無線データ伝送手段は、かご側に設けられた通信インターフェース及びアンテナと、エレベータ制御部側に設けられた通信インターフェース及び昇降路内のガイドレールを昇降路に固定するためのブラケットに係止されたケーブル固定具に固定され、ガイドレールに平行に配設された漏洩同軸ケーブルとを有する。
【００１９】
このように構成されたエレベータシステムにおいては、無線データ伝送手段におけるアンテナの機能を有する漏洩同軸ケーブルが、かごの移動方向、すなわちガイドレールに平行に配設されている。さらに、この漏洩同軸ケーブルは、先の発明の給電線と同様に、ガイドレールを昇降路に固定するためのブラケットに係止されたケーブル固定具に固定されている。したがって、この漏洩同軸ケーブルとかご側のアンテナ間の距離を常時一定に維持できる。
【００２０】
また、別の発明は、給電線を用いてかごへ非接触に電力を供給するとともに、漏洩同軸ケーブルを用いてかごとデータ送受信を実施ししている。
【００２１】
さらに、別の発明においては、上述したエレベータシステムにおいて、エレベータ制御部とかごのとの間で無線で各種の情報交換を実施するための無線データ伝送手段は、かご側に設けられた通信インターフェース及びアンテナと、エレベータ制御部側に設けられた複数の通信インターフェースと、このエレベータ制御部側の各通信インターフェースに接続され、かつ昇降路内の前記ガイドレールを昇降路に固定するためのブラケットに係止されたケーブル固定具に固定され、ガイドレールに平行でかつかごの移動方向に配列された複数の漏洩同軸ケーブルとを備えている。
【００２２】
このような構成のエレベータシステムにおいては、かごの移動距離が大きい場合（階数が多く、高層ビルの場合）、かごの移動方向に沿って、複数の漏洩同軸ケーブルが配設されている。
【００２３】
また、別の発明のエレベータシステムにおいては、エレベータ制御部側に設けられた各通信インターフェースは対応する各漏洩同軸ケーブルに近接配置されている。この場合、記各通信インターフェースとエレベータ制御部とを接続する通信ケーブル、前記各階の乗場呼び登録装置と前記エレベータ制御部とを接続する通信ケーブル、前記各通信インターフェースへ電源を供給する電源給電線、及び各階の乗場呼び登録装置へ電源を供給する電源給電線を、昇降路の内面に配設された共通ケーブルダクトに収納している。このように、昇降路内に配線される各信号ケーブル電源給電線を共通ケーブルダクトに収納することにより、昇降路内のレイアウトが容易になる。
【００２４】
また、別の発明のエレベータシステムにおいては、漏洩同軸ケーブル、給電線及びガイドレールは、かごの１つの側面とこの側面に対向する昇降路の１つの内面との隙間に、ガイドレールの両側に漏洩同軸ケーブルと給電線とが位置するように一つの平面内に配設されている。このように、漏洩同軸ケーブル、給電線及びガイドレールを一つの平面内に配設することによって、昇降路の空間を効率的に利用できる。
【００２５】
また、別の発明のエレベータシステムにおいては、給電線を固定するケーブル固定ブラケットの少なくとも給電線を支持する部分は非磁性材料で形成しているので、給電線を流れる高周波電流に悪影響が与えられることはない。
【００２６】
また、別の発明のエレベータシステムにおいては、複数の隣接する昇降路に、漏洩同軸ケーブルと給電線との少なくとも一つを一対のガイドレールの一方に沿って昇降路に敷設する際、隣接する昇降路の一対のガイドレールで、遠方に位置するガイドレールに沿って敷設している。
【００２７】
このように漏洩同軸ケーブルと給電線とガイドレールとのセットが、隣接する昇降路における境界の壁を挟んで両側に位置することが回避されるので、隣接する昇降路内を運転されるかごどうしで混信が発生することが未然に防止できる。
【発明の効果】
【００２８】
本発明においては、非接触でかごに電力を供給するための給電線、及び無線でかごと情報交換するための漏洩同期ケーブルを、かごに対するガイドレールに係止せているので、かご側の磁気コア、及びアンテナに近接配設でき、電力、情報の伝送効率を向上できるとともに、昇降路の空間を効率的に利用できる。
【発明を実施するための最良の形態】
【００２９】
以下、本発明の各実施形態を図面を用いて説明する。
【００３０】
（第１実施形態）
図１は本発明の第１実施形態に係わるエレベータシステムの概略構成を示す模式図である。
【００３１】
建屋の各階１を貫通する昇降路２の上側の機械室３に巻上機４が設置されている。この巻上機４に、一端にエレベータのかご５が接続され、他端に釣合錘６が接続された主ロープ７が掛けられている。この巻上機４はコンピュータからなるエレベータ制御部８からの指令に基づいて回転して、かご５を指定階１へ移動させる。各階１のエレベータホールにおいてドア９の隣に小型コンピュータからなる乗場呼び登録装置１０が取付けられており、ドア９の上側にかご５が該当階１に接近していることを知らせるホールランタン４７が取付けられている。各階１の乗場呼び登録装置１０はＲＳ−４８５やＬＡＮの通信ケーブル１１にカスケード接続されている。この通信ケーブル１１にエレベータ制御部８が接続されている。また、ホールランタン４７は乗場呼び登録装置１０からの指令で点灯する。したがって、乗場呼び登録装置１０でエレベータホールの利用者によって登録された自己階を指定した乗場呼びは通信ケーブル１１を介してエレベータ制御部８へ送信される。
【００３２】
かご５内には、小型コンピュータからなるかご呼び登録装置１２が取付けられている。このかご呼び登録装置１２には行き先階ボタンが配設されており、このかご５に乗込んだ利用客が行き先階ボタンを押すと、行き先階を指定した呼びが無線通信ＩＦ（インターフェース）１３へ送出される。無線通信ＩＦ１３には、かご呼び登録装置１２の他に、ドア開閉制御装置１４、かご５の現在位置（階）を表示する表示器が接続さている。この無線通信ＩＦ１３にアンテナ１５が取付けられている。
【００３３】
一方、昇降路２内には、かご５の移動範囲一杯に上下方向に漏洩同軸ケーブル１６が敷設されている。かご５の移動範囲が大きい場合には、漏洩同軸ケーブル１６の中途位置に複数の中継器１７が介挿されており、漏洩同軸ケーブル１６内における信号の送受信レベル低下を防止している。漏洩同軸ケーブル１６の下端には終端抵抗器１８が取付けられ、上端は通信ケーブル１９を介して機械室３内の無線通信ＩＦ２０に接続されている。この無線通信ＩＦ２０はエレベータ制御部８に接続されている。
【００３４】
かご５が昇降路２内を上下移動しても、アンテナ１５と漏洩同軸ケーブル１６との距離は変化しないので、無線通信ＩＦ２０、漏洩同軸ケーブル１６、アンテナ１５、無線通信ＩＦ１３は、エレベータ制御部８と、かご５に搭載されたかご呼び登録装置１２、ドア開閉制御装置１４、表示器等の電子部材との間で各種の情報交換を無線で実施する無線データ伝送手段を構成する。したがって、かご呼び登録装置１２で登録された行き先階を指定した呼びはエレベータ制御部８へ入力される。
【００３５】
昇降路２内に、かご５の移動範囲一杯に、機械室３に設けられた高周波電源２１から５０Hz〜１０ｋHzの高周波電流が通流されている一次巻線を構成する給電線２２が敷設されている。この給電線２２は下端で折り返されているので、電流方向が互いに異なる２本の給電線２２ａ、２２ｂが平行に配設されていると見なせる。一方、かご５の側面には、図２に示すように、Ｅ字断面形状を有する磁気コア２３が取付けられ、このＥ字断面形状を有する磁気コア２３の各溝内を各給電線２２ａ、２２ｂが通過する。この磁気コア２３の中央の磁極には二次巻線２４が巻回されている。磁気コア２３は高周波電流が流れる給電線２２ａ、２２ｂに磁気的に結合しているので、二次巻線２４に高周波電流による交流電圧が誘起される。二次巻線２４に誘起された交流電圧は受電部２５へ供給される。
【００３６】
受電部２５へ入力された交流電圧は、図３に示すように、整流器２６で直流に整流され、直流リアクトル２７ａ及び平滑コンデンサ２７ｂで高調波成分が除去され、正常な直流電源として、前記無線通信ＩＦ１３、かご呼び登録装置１２、ドア開閉制御装置１４、表示器、照明器へ供給する。したがって、高周波電源２１、給電線２２（２２ａ，２２ｂ）、磁気コア２３、二次巻線２４、受電部２５は、かご５に対する非接触給電装置を構成する。
【００３７】
したがって、かご５は各階の乗場呼び登録装置１０、かご呼び登録装置１２で利用客の指定した階１へ移動する。
【００３８】
次に、給電線２２（２２ａ、２２ｂ）及び漏洩同軸ケーブル１６の昇降路２内の敷設状態を図４の水平断面模式図、及び図５に示す取付斜視図を用いて説明する。昇降路２内には、かご５及び釣合錘６を円滑に上下移動させるために、それぞれの側面に対向する位置にＴ字形断面を有するガイドレール２８ａ、２８ｂ、３１ａ、３１ｂが配設されている。かご５及び釣合錘６の側面には、ガイドレール２８ａ、２８ｂ、３１ａ、３１ｂに対する係合部２９ａ、２９ｂ、３２ａ，３２ｂが取付けられている。
【００３９】
前記給電線２２（２２ａ、２２ｂ）及び漏洩同軸ケーブル１６は、一つのガイドレール２８ａを挟んで、かご５の一つの側面と昇降路２の一つの内面との隙間の一平面内に配列されている。具体的には、図５に示すように、ガイドレール２８ａは、昇降路２内の壁面における上下方向の一定間隔毎に設けられた水平梁３３に固定されたＬ字形のブラケット３４に対してレールクリップ３５及びボルト３６で固定されている。
【００４０】
磁気コア２３の各溝を通過する２本の給電線２２ａ、２２ｂは、ガイドレール２８ａを水平梁３３に固定するためのブラケット３４にボルト３６で固定されたケーブル固定ブラケット３７に固定されている。給電線２２ａ、２２ｂには、高周波電流が流れるので、ケーブル固定ブラケット３７は非磁性材料で形成されている。
【００４１】
かご５に取付けられたアンテナ１５の近傍位置を通過する漏洩同軸ケーブル１６は、ガイドレール２８ａを水平梁３３に固定するためのブラケット３４にボルト３６で固定されたケーブル固定具３８に固定されている。
【００４２】
また、図４において、かご５内には、ドア３０の両側にかご呼び登録装置１２が配設されている。さらに、エレベータ制御部８と各階の乗場呼び登録装置１０とを接続するＲＳ−４８５やＬＡＮの通信ケーブル１１は、昇降路２内の一隅に上下方向に敷設された共通ケーブルダクト４８内に収納されている。さらに、
このように構成された第１実施形態のエレベータシステムにおいては、エレベータ制御部８とかご５に搭載されたかご呼び登録装置１２、ドア開閉制御装置１４、表示器との間の情報交換は漏洩同軸ケーブル１６を用いた無線で実行され、かご５の照明器を含む上述した各電気部材に対する給電は高周波の誘起電圧現象を利用した非接触で実施される。したがって、従来のテールコードを除去することができ、かご５の高速安定運転が可能となる。
【００４３】
さらに、非接触でかご５に電力を供給する給電線２２ａ、２２ｂ及び無線でかご５と情報交換を実施するための漏洩同軸ケーブル１６の昇降路２内における固定方法を、かご５に対するガイドレール２８ａと同一条件で昇降路２内の各水平梁３３に固定されている。かご５とガイドレールと２８ａの間の距離は常に一定である。その結果、各給電線２２ａ、２２ｂとかご５に取付けられた磁気コア２３との位置関係を一定に維持でき、漏洩同軸ケーブル１６とかご５に取付けられたアンテナ１５との距離を一定に維持できる。したがって、磁気コア２３の溝の大きさを給電線２２ａ、２２bの断面の大きさに近づけることにより、効率的に電力をかご５に供給できる。また、漏洩同軸ケーブル１６とアンテナ１５との距離を短縮することにより、情報交換の信頼性を向上できる。
【００４４】
さらに、漏洩同軸ケーブル１６、給電線２２ａ、２２ｂ及びガイドレール２８ａは、かご５の１つの側面と対向する昇降路２の１つの内面との隙間に一つの平面内に配設されているので、昇降路２の空間を効率的に利用できる。
【００４５】
（第２実施形態）
図６は本発明の第２実施形態に係わるエレベータシステムの概略構成を示す模式図である。図１の第１実施形態のエレベータシステムと同一部分には、一符号を付して、重複する部分の詳細説明を省略する。
【００４６】
この第２実施形態のエレベータシステムにおいては、昇降路２の上下方向に沿って複数の漏洩同軸ケーブル１６a、１６ｂ、１６ｃが配設されている。各漏洩同軸ケーブル１６a、１６ｂ、１６ｃは互いにその一部が重複するように配設されている。また、各漏洩同軸ケーブル１６a、１６ｂ、１６ｃの下端にはそれぞれ終端抵抗１８が取付けられ、各漏洩同軸ケーブル１６a、１６ｂ、１６ｃの上端にはそれぞれ無線通信ＩＦ２０ａ、２０ｂ、２０ｃが取付けられている。各無線通信ＩＦ２０ａ、２０ｂ、２０ｃは１本の通信ケーブル３９で信号変換部４０にカスケード（直列）接続されている。信号変換部４０はエレベータ制御部８に接続されている。
【００４７】
信号変換部４０は、エレベータ制御部８から出力された、かご５に送信すべきパラレルデータを、ＲＳ―２３２、ＲＳ−４２２、ＲＳ―４８５等の規格に一致する直列データに変換して、通信ケーブル３６を介して各無線通信ＩＦ２０ａ、２０ｂ、２０ｃへ同一データ（情報）を送出する。また、信号変換部４０は、いずれか一つの各無線通信ＩＦ２０ａ、２０ｂ、２０ｃから入力された直列のデータ（情報）を並列データに変換して、エレベータ制御部８経へ送信する。
【００４８】
このように、複数の漏洩同軸ケーブル１６a、１６ｂ、１６ｃが昇降路２の上下方向に沿って敷設されているので、かご５が上下方向に移動すると、かご５のアンテナ１５は、等距離を維持した状態で、無線送受信対象の漏洩同軸ケーブル１６a、１６ｂ、１６ｃが変更されていく。前述したように、各漏洩同軸ケーブル１６a、１６ｂ、１６ｃには信号変換部４０から同一データ（情報）が印加されているので、かご５のアンテナ１５に接続された無線通信ＩＦ１３は、図１の第１実施形態の漏洩同軸ケーブル１６と同様に、各漏洩同軸ケーブル１６a、１６ｂ、１６ｃを介して、エレベータ制御部８と各種の情報交換が実施可能となる。
【００４９】
図７は、この第２実施形態のエレベータシステムの昇降路２内におけるガイドレール２８ａ、２本の給電線２２ａ、２２ｂ、漏洩同軸ケーブル１６ａ、１６ｂの配置関係、及び固定状態を示す図である。図５の第１実施形態と同一部分には、同一符号が付してある。したがって、重複する部分の詳細説明を省略する。
【００５０】
ガイドレール２８ａは、昇降路２内の壁面における上下方向の一定間隔毎に設けられた水平梁３３に固定された板状のブラケット３４に対してレールクリップ３５及びボルト３６で固定されている。
【００５１】
磁気コア２３の各溝を通過する２本の給電線２２ａ、２２ｂは、ガイドレール２８ａを水平梁３３に固定するためのブラケット３４に固定されたケーブル固定ブラケット３７に取付られている。給電線２２ａ、２２ｂには、高周波電流が流れるので、ケーブル固定ブラケット３７は非磁性材料で形成されている。かご５に取付けられたアンテナ１５の近傍位置を通過する各漏洩同軸ケーブル１６ａ、１６ｂは、ガイドレール２８ａを水平梁３３に固定するためのブラケット３４に固定されたケーブル固定具３８に取付けられている。
【００５２】
さらに、この第２実施形態のエレベータシステムにおいては、各無線通信ＩＦ２０ａ、２０ｂ、２０ｃは対応する漏洩同軸ケーブル１６ａ、１６ｂ、１６ｃの近傍位置に配設されている。図７の例では、上から２番目の漏洩同軸ケーブル１６ｂの無線通信ＩＦ２０ｂが水平梁３３に固定されている。
【００５３】
また、昇降路２内の一つの隅に存在する垂直梁４１における各乗場呼び登録装置１０の設置位置に対応する位置に、配線分岐箱４２が取付られている。そして、垂直梁４１の信号変換部４０から各漏洩同軸ケーブル１６ａ、１６ｂ、１６ｃの各無線通信ＩＦ２０ａ、２０ｂ、２０ｃを巡回する通信ケーブル３９、各乗場呼び登録装置１０を巡回する通信ケーブル１１、各線無線通信ＩＦ２０ａ、２０ｂ、２０ｃへ電源を供給する電源給電線、及び各階の乗場呼び登録装置１０へ電源を供給する電源給電線、エレベータホールの各ドア９ａ、９ｂ、９ｃの安全確認用の各ドア開閉検出スイッチの信号線、及びこのエレベータシステムに必要な各種の通信ケーブル４３が敷設されている。
【００５４】
各通信ケーブル３９、１１，４３は、配線分岐箱４２において、乗場呼び登録装置１０及び各無線通信ＩＦが必要に応じて接続される。
【００５５】
このように構成された第２実施形態のエレベータシステムにおいては、階数が多く、高層ビルの場合、かご５の移動距離が大きいので、一つの漏洩同軸ケーブル１６で対応できないので、複数の漏洩同軸ケーブル１６ａ、１６ｂ、１６ｃ及び複数の無線通信ＩＦ２０ａ、２０ｂ、２０ｃを採用しているので、かご５との間の無線ＬＡＮによる情報交換の信頼性が向上する。
【００５６】
さらに、図７に示すように、ブラケット３４でもって高い精度で水平梁３３に支持固定されたガイドレール２８ａの近傍に、±数ｍｍ〜±５ｍｍ程度の据付け精度が要求される給電線２２ａ、２２ｂを配置してケーブル固定ブラケット３７に支持固定し、その隣に、±数ｃｍ〜±１０ｃｍ程度の据付け余裕がある漏洩同軸ケーブル１６ａ、１６ｂをケーブル固定具３８で支持固定しているので、給電線２２ａ、２２ｂと磁気コア２３との位置関係をより高い精度に維持できる。すなわち、高い据付け精度が要求される給電線２２ａ、２２ｂををガイドレール２８ａに近接配置している。
【００５７】
（第３実施形態）
図８は本発明の第３実施形態に係わるエレベータシステムの概略構成を示す模式図である。図６に示す第２実施形態のエレベータシステムと同一部分には同一符号を付して、重複する部分の詳細説明を省略する。
【００５８】
この第３実施形態のエレベータシステムにおいては、昇降路２の上下方向に沿って配設された各漏洩同軸ケーブル１６a、１６ｂ、１６ｃの無線通信ＩＦ２０ａ、２０ｂ、２０ｄは、それぞれ個別の通信ケーブル４４を介して、エレベータ制御部８に接続された信号変換部４０に接続されている。
【００５９】
このように構成された第３実施形態のエレベータシステムにおいても、先に説明した第２実施形態のエレベータシステムとほぼ同じ作用効果を奏することが可能である。
【００６０】
（第４実施形態）
図９は本発明の第４実施形態に係わるエレベータシステムの概略構成を示す水平断面模式図である。図４に示す第１実施形態のエレベータシステムの水平断面模式図と同一部分には同一符号を付して、重複する部分の詳細説明を省略する。
【００６１】
この第４実施形態のエレベータシステムにおいては、ビル等の建屋に３台のエレベータが組込まれており、３つの昇降路２ａ、２ｂ、２ｃが境目の壁４５ｂ、４５ｃを挟んで隣接配置されている。
【００６２】
エレベータホール４６に設けられた各ドア９ａ、９ｂ、９ｃの中間の壁に乗場呼び登録装置１０ａ、１０ｂが取付けられ、各ドア９ａ、９ｂ、９ｃの右上方にホールランタン４７ａ、４７ｂ、４７ｃが取付けられている。
【００６３】
また、昇降路２ａ、２ｂ、２ｃ内には、この昇降路内で使用される各種の昇降路２内の機器４９ａ、４９ｂ、４９ｃが設けられている。さらに、エレベータホール４６の各ドア９ａ、９ｂ、９ｃに安全確認用の各ドア開閉検出スイッチが設けられている。そして機器４９ａ〜４９ｃ、各ドア開閉検出スイッチと機械室３のエレベータ制御部８とは、前述した通信ケーブル４３で接続されている。
【００６４】
そして、各昇降路２ａ、２ｂ、２ｃにおいては、漏洩同軸ケーブル１６と給電線２２ａ，２２ｂとガイドレール２８ａ（２８ｂ）のセットを昇降路２ａ、２ｂ、２ｃの壁に沿って設定しているが、隣接する昇降路間で、この漏洩同軸ケーブル１６と給電線２２ａ，２２ｂとガイドレール２８ａ（２８ｂ）のセットが境界の壁の両側に位置しないように配設している。
【００６５】
具体的には、昇降路２ａ内には、漏洩同軸ケーブル１６と給電線２２ａ，２２ｂとガイドレール２８ｂのセットが左側の壁４５ａに取付られている。また、昇降路２ｂ内には上記セットは右側の壁４５ｃに取付けられ、昇降路２ｃ内には上記セットは右側の壁４５ｄに取付けられている。
【００６６】
このように、漏洩同軸ケーブル１６と給電線２２ａ，２２ｂとガイドレール２８ａ（２８ｂ）のセットどうしができるだけ離れるように配設しているので、隣接するエレベータ相互間において、漏洩同軸ケーブル１６及びアンテナ１５を用いた無線ＬＡＮ（無線通信）における混信が生じることを未然に防止でき、エレベータシステム運転の信頼性を向上できる。
【００６７】
さらに、信号変換部４０と各無線通信ＩＦ２０ａ〜２０ｃとを接続する通信ケーブル３９（４４）、エレベータ制御部８と各乗場呼び登録装置１０とを接続する通信ケーブル１１、昇降路２内の機器４９ａ、４９ｂ、４９ｃと機械室３のエレベータ制御部８とを接続すると共に、前述した安全に関する信号、各電子部材に対する電源供給の通信ケーブル４３は、全部の昇降路２ａ、２ｂ、２ｃをまとめて、一つの昇降路２ｃの乗場呼び登録装置１０に対応する隅に取付られた共通ケーブルダクト４８内に収納されている。
【００６８】
このように、各通信ケーブルを一つの共通ケーブルダクト４８内に収納することによって、各昇降路２ａ、２ｂ、２ｃの空間をより有効に使用することが可能となる。
【００６９】
なお、上述した各実施形態においては、かご５と機械室３とを接続するテールコードを完全に除去したが、かご５内に設置された非常電話や安全確認信号等に関しては、テールコードで通信することも可能である。この場合、テールコードはごく細いもので十分である。
【図面の簡単な説明】
【００７０】
【図１】本発明の第１実施形態に係わるエレベータシステムの概略構成を示す模式図
【図２】同実施形態のエレベータシステムにおける非接触電力供給の要部を示す図
【図３】同じく非接触電力供給における受電部の回路図
【図４】同実施形態のエレベータシステムの水平断面図
【図５】同実施形態のエレベータシステムにおける昇降路内の漏洩同軸ケーブルと給電線とガイドレールの取付状態図
【図６】本発明の第２実施形態に係わるエレベータシステムの概略構成を示す模式図
【図７】同実施形態のエレベータシステムにおける昇降路内の漏洩同軸ケーブルと給電線とガイドレールの取付状態図
【図８】本発明の第３実施形態にかかわるエレベータシステムの概略構成を示す模式図
【図９】本発明の第４実施形態にかかわるエレベータシステムの水平断面図
【符号の説明】
【００７１】
１…階、２…昇降路、３…機械室、４…巻上機、５…かご、６…釣合錘、８…エレベータ制御部、９，３０…ドア、１０…乗場呼び登録装置、１１，１９，３９，４３，４４…通信ケーブル、１２…かご呼び登録装置、１３，２０，２０ａ，２０ｂ，２０ｃ…無線通信ＩＦ、１５…アンテナ、１６，１６ａ，１６ｂ，１６ｃ…漏洩同軸ケーブル、２１…高周波電源、２２，２２ａ、２２ｂ…給電線、２３…磁気コア、２４…二次巻線、２５…受電部、２８ａ，２８ｂ…ガイドレール、３３…水平梁、３４…ブラケット、３７…ケーブル固定ブラケット、３８…ケーブル固定具、４０…信号変換部、４１…垂直梁、４２…配線分岐箱、４５ａ，４５ｂ，４６ｃ…壁、４７…ホールランタン、４８…共通ケーブルダクト
【図１】
2009040589.tif 000003
【図２】
2009040589.tif 000004
【図３】
2009040589.tif 000005
【図４】
2009040589.tif 000006
【図５】
2009040589.tif 000007
【図６】
2009040589.tif 000008
【図７】
2009040589.tif 000009
【図８】
2009040589.tif 000010
【図９】
2009040589.tif 000011